(57)【特許請求の範囲】
【請求項１】
ファクシミリ通信または電話通信を判断してファクシミリ通信の場合には呼出音を鳴らさず、電話通信の場合には呼出音信号発生手段からの呼出音信号により呼出音を鳴らすように制御するモードを有するファクシミリ装置において、外付け電話器を外部回線側または前記呼出音信号発生手段側に切り換えて接続する切換手段と、前記ファクシミリ通信または電話通信における呼出音信号を検知する呼出音信号検知手段と、前記呼出音信号検知手段による呼出音信号の検知により前記切換手段を制御して外付け電話器を前記呼出音信号発生手段側から外部回線側に切り換えて接続する制御手段とを有するファクシミリ装置。
【請求項２】
ファクシミリ通信または電話通信を判断してファクシミリ通信の場合には呼出音を鳴らさず、電話通信の場合には呼出音信号発生手段からの呼出音信号により呼出音を鳴らすように制御するモードを有するファクシミリ装置において、
前記ファクシミリ通信または電話通信における呼出音信号を検知する呼出音信号検知手段と、
前記呼出音信号検知手段による呼出音信号の検知により、外付け電話器を外部回線側または前記呼出音信号発生手段側に切り換えて接続する切換手段と、
相手局からの送信データから所定信号を検出し、その結果に基づいてファクシミリ通信又は電話通信であるかを判断する判断手段と、
通常時は、外付け電話器が前記切換手段によって前記呼出音信号発生手段側に接続された状態としておき、前記判断手段によってファクシミリ通信と判断された場合は、前記呼出音信号発生手段から呼出音信号を発生させずに呼び出し音を鳴らさない状態で当該ファクシミリ通信を受信し、前記判断手段によって電話通信と判断された場合は、前記呼出音信号発生手段からの呼出音信号により呼出音を鳴らすように制御し、着信時鳴動モード設定時には、前記判断手段によりファクシミリ通信と判断された場合であっても、前記切換手段によって外付け電話器が外部回線側に接続された状態として、当該ファクシミリ通信を受信するように制御する制御手段と
を有するファクシミリ装置。
【発明の詳細な説明】
【０００１】
【発明の属する技術分野】
本発明は、外付け電話器が設けられ、例えばファクシミリ・電話機能やダイヤルイン機能などを有するファクシミリ装置に関するものである。
【０００２】
【従来の技術】
従来のファクシミリ装置は、ファクシミリ通信であるかまたは電話通信であるかを区別するファクシミリ・電話機能およびダイヤルイン機能を有している。このファクシミリ・電話機能とは相手局からの送信データからファクシミリ通信であるかまたは電話通信であるかを判断し、また、ダイヤルイン機能とはダイヤル番号の後に所定の番号を付けることによりファクシミリ通信であるかまたは電話通信であるかを判断している。ファクシミリ通信である場合には、使用者が外付け電話器のハンドセットを取り上げるとファクシミリ機能が動作しなくなる。このため、ファクシミリ通信である場合には、これらの上記判断に基づいて着信音である呼出音を鳴らさずにファクシミリ機能により相手局からの画像データを記録紙に記録して出力するようにしており、また、電話通信である場合には、呼出音を鳴らして使用者に知らせることでハンドセットを取らせるようにしている。
【０００３】
図７は従来のファクシミリ装置の外観を背面部側から見た斜視図である。
【０００４】
図７において、ファクシミリ装置の本体１の上部背面側には通話用のハンドセット２を有する取外付け電話器３が設けられており、また、その上部前面側には操作部４が設けられている。さらに、操作部４の下部前面側には本体カバーとしての前蓋５が設けられており、記録時に記録紙の搬送途中での紙詰まりに際して、この前蓋５を開けて紙詰まりなどを解除することができる。
【０００５】
この操作部４には、送信局として動作するときには相手局の電話番号、文字原稿送信用のモードや写真原稿用のモードを設定する各種操作キーや、この設定内容を表示する液晶ディスプレイなどの表示手段が設けられている。また、受信局として動作するときには受信信号に基づいて相手局の電話番号、画質モードなどをその表示手段で表示するようになっている。
【０００６】
上記構成により、送信時には、原稿がセットされ、操作部４により相手先の電話番号、ノーマルモードやハーフトーンモードなどの画質モードなどが設定されると、相手局に呼出信号が送信されて電話回線が接続され、交信が行われる。ファクシミリ・電話モードのとき、相手局にファクシミリ通信であることを示すＣＮＧ信号が送信される。このＣＮＧ信号がない場合には電話通信であることを示している。
【０００７】
受信時においては、このＣＮＧ信号の有無によりファクシミリ通信である場合には呼出音を鳴らさずにファクシミリモードによりその画像データを記録紙に記録して出力するようにし、また、電話通信である場合にはファクシミリ装置内部で作り出した呼出信号を外付け電話器３に送給することで呼出音を鳴らして使用者に知らせ、通話用のハンドセットを取らせるようにしている。
【０００８】
【発明が解決しようとする課題】
上記従来のファクシミリ装置では、記録紙搬送経路に記録紙が詰まったり、トナー交換時など、図８に示すようにファクシミリ装置本体１の前蓋５を開けて記録紙の詰りを解除したり、トナー交換などをしたりしているが、このとき、安全性のために電圧の高い、例えば外付け電話器への呼出信号を作り出している２４Ｖ回路などへの電源は遮断されている。これは、前蓋５を開けることに連動して開閉する開閉スイッチ６により電圧の高い回路への電源が遮断される。
【０００９】
このような記録紙が詰まって前蓋５を開けて記録紙を取り除くという事態は比較的その時間も長くその頻度も多くある。このような場合には、ファクシミリ・電話モードおよびダイヤルインモードでファクシミリ通信であるか電話通信であるかを判断しても、外付け電話器３への呼出信号を作り出している２４Ｖ回路などの電源は遮断されているため、外付け電話器の呼出音信号をファクシミリ装置内で作り出すことができない。このような場合に、外付け電話器が呼出音を鳴らすことができず、電話通信が着信しているにもかかわらず使用者が判らないという問題があった。
【００１０】
また、ファクシミリ・電話モードおよびダイヤルインモードを有するファクシミリ装置において、ファクシミリ装置本体１の前蓋５の開閉にかかわらず、ファクシミリ通信および電話通信の両方で呼出音を鳴らしたい場合、例えばファクシミリ装置の設置位置が使用者のいる位置から離れており、ファクシミリ通信の出力画像データを時間をおかずに欲しいような場合に、ファクシミリ通信の場合にも呼出音が必要となる。ところが、通常のファクシミリ・電話モードおよびダイヤルインモードであれば、ファクシミリ通信の場合には呼出音が鳴らないという問題があった。
【００１１】
本発明は、上記問題を解決するもので、少なくとも装置本体の前蓋が開いている場合にも電話通信の呼出音を鳴らすことができ、また、その前蓋の開閉にかかわらずファクシミリ通信においても呼出音を鳴らすことができるファクシミリ装置を提供することを目的とする。
【００１２】
【課題を解決するための手段】
本発明のファクシミリ装置は、ファクシミリ通信または電話通信を判断してファクシミリ通信の場合には呼出音を鳴らさず、電話通信の場合には呼出音信号発生手段からの呼出音信号により呼出音を鳴らすように制御するモードを有するファクシミリ装置において、外付け電話器を外部回線側または前記呼出音信号発生手段側に切り換えて接続する切換手段と、前記ファクシミリ通信または電話通信における呼出音信号を検知する呼出音信号検知手段と、前記呼出音信号検知手段による呼出音信号の検知により前記切換手段を制御して外付け電話器を前記呼出音信号発生手段側から外部回線側に切り換えて接続する制御手段とを有するものである。
【００１３】
この構成により、ファクシミリ通信または電話通信における呼出音信号の検知により切換手段を制御して外付け電話器を呼出音信号発生手段側から外部回線側に切り換えて外部回線を外付け電話器に直接接続することで、外部回線側の呼出信号を用いて、前蓋の開閉にかかわらずファクシミリ通信においても電話通信と同様に呼出音を鳴らすことが可能となる。
【００１４】
また、本発明のファクシミリ装置は、ファクシミリ通信または電話通信を判断してファクシミリ通信の場合には呼出音を鳴らさず、電話通信の場合には呼出音信号発生手段からの呼出音信号により呼出音を鳴らすように制御するモードを有するファクシミリ装置において、
前記ファクシミリ通信または電話通信における呼出音信号を検知する呼出音信号検知手段と、
前記呼出音信号検知手段による呼出音信号の検知により、外付け電話器を外部回線側または前記呼出音信号発生手段側に切り換えて接続する切換手段と、
相手局からの送信データから所定信号を検出し、その結果に基づいてファクシミリ通信又は電話通信であるかを判断する判断手段と、
通常時は、外付け電話器が前記切換手段によって前記呼出音信号発生手段側に接続された状態としておき、前記判断手段によってファクシミリ通信と判断された場合は、前記呼出音信号発生手段から呼出音信号を発生させずに呼び出し音を鳴らさない状態で当該ファクシミリ通信を受信し、前記判断手段によって電話通信と判断された場合は、前記呼出音信号発生手段からの呼出音信号により呼出音を鳴らすように制御し、着信時鳴動モード設定時には、前記判断手段によりファクシミリ通信と判断された場合であっても、前記切換手段によって外付け電話器が外部回線側に接続された状態として、当該ファクシミリ通信を受信するように制御する制御手段と
を有するものである。
【００１５】
【発明の実施の形態】
以下、本発明の実施形態について図面を参照しながら説明する。
【００１６】
図１は本発明の一実施形態を示すファクシミリ装置の全体斜視図であり、図２は図１のファクシミリ装置の内部構成を示す縦断面図である。
【００１７】
図１および図２において、このファクシミリ装置は、操作パネル１２および本体カバー１１ａとしての前蓋を有する装置本体１１と、その上部に設けられた外付け電話器１３とからなり、装置本体１１には、送信時に送信内容を読み取る読取部１４と、受信時に受信内容を記録紙に記録する記録部１５とが設けられている。この読取部１４には、装置本体１１の頂部に配設された原稿自動給紙機構１６と、光学機構としてのスキャナーユニット１７とが設けられている。また、記録部１５には、感光体ドラム１８を備えた像形成部１９、給紙カセット部２０および用紙搬送機構２１が設けられている。
【００１８】
この読取部１４の原稿自動給紙機構１６は、原稿載置部２２に載置されて給紙ローラ対２３に接する上側の原稿を給紙ローラ対２３さらに送りローラ２４を介してコンタクトガラス２５上の露光位置に搬送してセットする。原稿読み取り後に、送りローラ２４および搬出ローラ２６によって搬送路２７を介して搬出するようになっている。
【００１９】
また、スキャナーユニット１７は、コンタクトガラス２５上の原稿を走査するハロゲンランプからなる光源２８を備え、この光源２８からの光であって原稿面で反射させて得られた反射光を、複数の反射鏡およびレンズを有する光学系２９を介してアレイ状の光センサであるＣＣＤ３０に導き、このＣＣＤ３０で原稿像を結像させるようになっている。つまり、コンタクトガラス２５上の原稿面で反射した反射光は複数の反射鏡で順次反射したのちレンズを介して１ライン毎の原稿像としてＣＣＤ３０で受光される。ＣＣＤ３０で受光された１ラインの受光データは順次画像処理機能を有する制御部５５（図３参照）に送られて、必要に応じて画像処理が行われたのち記憶部５１（図３参照）に記憶される。
【００２０】
なお、マニュアルでコンタクトガラス２５ａ上に原稿をセットすることも可能であり、この場合には、図略の走行ガイドや走行駆動モータを用いてスキャナーユニット１７を同図鎖線矢印方向に所定の速度で走行可能にし、静止状態の原稿面を走査する。
【００２１】
次に、記録部１５の像形成部１９は、レーザ発光部３１および、図略の駆動手段によって時計方向に定速回転される感光体ドラム３２を備えるとともに、この感光体ドラム３２の周囲に、その回転方向の上流側から主帯電部３２ａ、現像部３２ｂ、トナー回収ローラ部３２ｃ、転写部３２ｄ、分離部３２ｅおよびクリーニング部３２ｆを備えている。感光体ドラム３２は主帯電部３２ａにより表面を均一帯電された後、原稿像が露光されて静電潜像が形成される。この静電潜像は現像部３２ｂでトナーを付着されることによって顕在化され、次いで転写部３２ｄで転写紙に転写される。トナー像が転写された転写紙は、分離部３２ｅで感光体ドラム３２から分離された後、後述する定着部３３に導かれる。
【００２２】
また、給紙カセット部２０は、例えば２段式を有し、用紙載置板３４を備えた給紙カセット３５を側方から着脱自在にセット可能になっている。この用紙載置板３４の前端は、スプリング３６によって支持板３７を介して上方に付勢され、給紙ローラ３８に当接するようになっている。この給紙ローラ３８にはその回転方向と同方向に回転する捌きローラ３９が配置されており、記録紙の重送を防止するようになっている。また、給紙カセット３５の後方には、記録紙センサ４０が配置されており、給紙カセット３５の後端に設けられた磁性部材４１からのコード信号を検知して給紙カセット３５に載置された記録紙のサイズを検出する記録紙検出部が設けられている。
【００２３】
さらに、用紙搬送機構２１は、給紙カセット３５に載置された記録紙を１枚づつ送り出す給紙ローラ３８および捌きローラ３９によって繰り出された記録紙を、搬送ローラ４２や搬送ガイド板４３によって案内し、スキャナーユニット１７の露光走査の開始タイミングと同期して駆動するレジストローラ対４４を介して像形成部１９の転写部３２ｄに導くとともに、転写後の記録紙を搬送ガイド板４５に沿って、熱ローラ４６および圧ローラ４７を有する定着部３３を介して排紙トレイ４８に導く経路を有している。このように、給紙ローラ３８が回転すると、記録紙はレジストローラ対４４を介して像形成部１９の転写部３２ｄで、感光体ドラム３２の表面に付着されたトナーが記録紙上に転写され、その記録紙上のトナーは定着部３３で定着されることになる。
【００２４】
さらに、操作パネル１２には、送信局として動作するときには相手局の電話番号、文字原稿送信用のモードや写真原稿用のモードを設定する各種操作キーや、この設定内容を表示する液晶ディスプレイなどの表示手段などが設けられている。また、受信局として動作するときには受信信号に基づいて例えば相手局の電話番号、画質モードなどをその表示手段で表示するようになっている。
【００２５】
図３は図１および図２のファクシミリ装置の制御機能を示す制御ブロック図である。
【００２６】
図３において、このファクシミリ装置は、操作スイッチなどを有する操作パネル１２と、外付け電話器１３と、原稿画像を読み取る読取部１４と、記録紙に画像を記録する記録部１５と、記憶媒体である記憶部５１としてのＲＯＭ５２およびＲＡＭ５３と、画像データなどを変復調するモデム５４と、これらの各部の制御などを行う制御部５５とを有している。
【００２７】
また、ＲＯＭ５２は制御部５５の制御プログラムなどを記憶している。また、ＲＡＭ５３は相手局の名称や伝達速度などの各種データを記憶しているとともに、上記画像処理データを記憶している。また、ＲＡＭ５３は送信局として動作するときには操作パネル１２により設定された画質モードを原稿の頁に対応させて記憶するようになっている。さらに、ＲＡＭ５３は受信局として動作するときには受信した原稿画像の頁に対応させて記憶するようになっている。
【００２８】
さらに、読取部１４は送信局として動作するときにセットされた文字原稿や写真原稿などを読み取ってその画像データを制御部５５に出力する。また、記録部１５は受信局として動作するときに制御部５５からの画像データを頁毎に記録紙にプリントアウトする。また、モデム５４は送信局として動作するときには制御部５５から出力された各種の送信信号および画像信号を変調して電話回線に出力する。さらに、モデム５４は受信局として動作するときに相手局からの各種の受信信号および画像データを復調して制御部５５に出力する。
【００２９】
さらに、制御部５５は、モデム５４を介して相手局との通信制御または相手局からの受信制御を行うとともに、読取部１４で読み取った画像データを画像処理したのちＲＡＭ５３に出力する。また、制御部５５は、相手局からの受信データからファクシミリ通信であるかまたは電話通信であるかを判断し、ファクシミリ通信である場合には、これらの判断に基づいて呼出音を鳴らさずにファクシミリモードによりその画像データを記録紙に記録して出力するようにしており、また、電話である場合には、呼出音を鳴らして使用者に知らせることでハンドセットを取らせるようにしている。さらに、制御部５５は、次の図４で詳しく説明する本発明の機能を有している。
【００３０】
図４は図３のモデム５４および制御部５５の本発明の要部を示すブロック図である。
【００３１】
図４において、外部回線の一方端Ｌ１は電流センサ６１を介して、トランス６２が接続されるパルス発生回路６３およびリンガ検出回路６４に接続されているとともに切換手段としてのリレー６５の第２のスイッチング部の他方端子に接続されており、また、外部回線の他方端Ｌ２はコントロール回路６６に接続されているとともに切換手段としてのリレー６５の第１のスイッチング部の他方端子に接続されている。この電流センサ６１はコントロール回路６６に接続されており、相手局からの受信データの着信時に、外部回線に電流が流れているのを検出してコントロール回路６６にその情報を送る。さらに、リレー６５は通常、ファクシミリ・電話モードであり、その第１のスイッチング部は接地側の一方端子に接続されており、また、その第２のスイッチング部は外付け電話リンガ昇降回路６７側の一方端子に接続されている。
【００３２】
また、リンガ検出回路６４が接続されるコントロール回路６６は呼出音信号発生手段である外付け電話リンガ昇降回路６７を介してリレー６５の第２のスイッチング部の一方端子に接続されており、相手局からの送信データから所定信号（ＣＮＧ信号）をモデム５４で検出し、その検出結果に基づいて、コントロール回路６６はファクシミリ通信であるかまたは電話通信であるかを判断し、ファクシミリ通信である場合には外付け電話リンガ昇降回路６７に対して呼出音信号を出力しないように制御して、ファクシミリモードによりその画像データを記録紙に記録して出力するように制御するか、または、電話通信である場合には外付け電話リンガ昇降回路６７に対して呼出音信号を出力するように制御する。また、リンガ検出回路６４が接続されるコントロール回路６６はリレー６５の制御端子に接続されており、ファクシミリ・電話モード以外の着信時鳴動モード時に、コントロール回路６６は、リンガ検出回路６４を介して、相手局からの送信データから呼出信号を交換器を介して検出し、その呼出信号検出時点でリレー６５の第１および第２のスイッチング部の他方端子から一方端子側に切り換えるように制御する。
【００３３】
さらに、本体カバー１１ａとしての前蓋の開時に電圧の高い回路、例えば外付け電話リンガ昇降回路６７への電源供給を遮断する開閉スイッチ６８が本体カバー１１ａの開閉に連動して動作するように設けられており、この開閉スイッチ６８が接続されるコントロール回路６６はリレー６５の制御端子に接続され、本体カバー１１ａの開状態を、開閉スイッチ６８を介してコントロール回路６６が検知して、リレー６５の第１および第２のスイッチング部の他方端子から一方端子側に切り換えるように制御する。
【００３４】
上記構成により、以下、その作用を説明する。
【００３５】
図５は図１〜図４のファクシミリ装置における着信時鳴動モードの動作内容を示すフローチャートである。
【００３６】
図５に示すように、まず、ステップＳ１で、リンガ検出回路６４を介してコントロール回路６６は、外部回線Ｌ１からの送信データの呼出信号であるリンガ信号の有無を判断する。このとき、リンガ信号が無いと判断した場合には、リンガ信号を検知するまでステップＳ１の判断を継続する。
【００３７】
次に、ステップＳ２で、操作パネル１２の操作スイッチなどの操作による着信時鳴動モードかどうかを判断する。着信時鳴動モードではないと判断したときには、その着信時鳴動モード処理は終了する。つまり、ファクシミリ・電話モードまたはダイヤルインモードのときにはリレー６５は通常状態、つまり、リレー６５の第１のスイッチング部は接地側の一方端子側に、第２のスイッチング部は外付け電話リンガ昇降回路６７側の一方端子に接続されている状態である。つまり、コントロール回路６６は相手局からの受信データからファクシミリ通信であるかまたは電話通信であるかを判断し、ファクシミリ通信である場合には、これらの判断に基づいて呼出音を鳴らさずにファクシミリモードによりその画像データを記録紙に記録して出力するようにしており、また、電話通信である場合には、呼出音を鳴らして使用者に電話通信が着信したことを知らせるようにしている。
【００３８】
さらに、ステップＳ２で、着信時鳴動モードであると判断したときは、ステップＳ３でリレー６５の切り換え制御をする。この切り換え制御とは、リレー６５を、その第１のスイッチング部は外部回線の他方端Ｌ２側に、第２のスイッチング部は外部回線の他方端Ｌ１側に切り換える制御であり、外部回線は外付け電話器１３に直接接続されることになって、外部回線からの電圧の高いリンガ信号により外付け電話器１３を呼出させることができる。この場合には、ファクシミリ通信および電話通信の両方で呼出することになる。
【００３９】
したがって、着信時鳴動モード時には、呼出音信号の検知によりリレー６５を制御して外付け電話器１３側の共通端子を外付け電話器リンガ昇降回路６７側の他方端子から外部回線側の一方端子に切り換えて接続するように制御するため、本体カバー１１ａの開閉にかかわらずファクシミリ通信においても電話通信と同様に呼出音を鳴らすことができる。このことは、ファクシミリ通信および電話通信の両方で呼出音を鳴らしたいような場合、例えばファクシミリ装置の設置位置が使用者のいる位置から離れており、ファクシミリ通信の画像データを時間をおかずに欲しい場合などに最適である。
【００４０】
図６は図１のファクシミリ装置における本体カバー開時鳴動モードの動作内容を示すフローチャートである。
【００４１】
図６に示すように、まず、ステップＳ１１で、開閉スイッチ６８を介してコントロール回路６６は本体カバー１１ａとしての前蓋が開いているかどうかを判定する。ステップＳ１１で本体カバー１１ａが開いていると判定した場合には、ステップＳ１２でリレー６５の切り換え制御をする。この切り換え制御とは、リレー６５を、その第１のスイッチング部は外部回線の他方端Ｌ２側に、第２のスイッチング部は外部回線の他方端Ｌ１側に切り換える制御であり、外部回線は外付け電話器１３に直接接続されることになって、外部回線からの電圧の高いリンガ信号により外付け電話器１３を呼出させることができる。この場合にも、ファクシミリ通信および電話通信の両方で呼出することになる。
【００４２】
次に、このステップＳ１２のリレー切り換え制御の後、または、ステップＳ１３で本体カバー１１ａが閉じていると判定した場合には、ステップＳ１３で開閉スイッチ６８を介してコントロール回路６６は本体カバー１１ａが閉じているかどうかを判定する。ステップＳ１３で前蓋が閉じていると判定した場合には、ステップＳ１４でリレー６５の切り換え制御を行わない。このように、切り換え制御を行わないということは、リレー６５を、その第１のスイッチング部は接地側に、第２のスイッチング部は外付け電話器リンガ昇降回路６７側の通常位置のままの状態である。つまり、コントロール回路６６は相手局からの受信データからファクシミリ通信であるかまたは電話通信であるかを判断し、ファクシミリ通信である場合には、これらの判断に基づいて呼出音を鳴らさずにファクシミリモードによりその画像データを記録紙に記録して出力するようにしており、また、電話である場合には、呼出音を鳴らして使用者に知らせるようにしている。
【００４３】
したがって、本体カバー１１ａの開動作に連動して、例えば電圧の高い２４Ｖの外付け電話器リンガ昇降回路６７への電源を遮断するとともに、リレー６５を制御して外付け電話器１３に接続された共通端子を電話器リンガ昇降回路６７側の他方端子から外部回線側の一方端子に切り換えて接続するため、装置本体１１の本体カバー１１ａが開いている場合にも電話通信の呼出音を鳴らすことができて、従来のように電話通信が着信していても使用者が判らないというような事態は防止されることになる。
【００４４】
【発明の効果】
以上のように本発明によれば、呼出音信号検知手段による検知により切換手段を制御して外付け電話器を呼出音信号発生手段から外部回線に切り換えて接続するため、外部回線側に外付け電話器を直接接続することができて、前蓋の開閉にかかわらずファクシミリ通信においても電話通信と同様に呼出音を鳴らすことができる。
【図面の簡単な説明】
【図１】  本発明の一実施形態を示すファクシミリ装置の全体斜視図である。
【図２】  図１のファクシミリ装置の内部構成を示す縦断面図である。
【図３】  図１および図２のファクシミリ装置の制御機能を示す制御ブロック図である。
【図４】  図３の制御部５５の本発明の要部を示すブロック図である。
【図５】  図１〜図４のファクシミリ装置における着信時鳴動モードの動作内容を示すフローチャートである。
【図６】  図１〜図４のファクシミリ装置における本体カバー開時鳴動モードの動作内容を示すフローチャートである。
【図７】  従来のファクシミリ装置の外観を背面部側から見た斜視図である。
【図８】  図７のファクシミリ装置の前蓋を開いた状態を正面部から見た斜視図である。
【符号の説明】
１１    装置本体
１１ａ    本体カバー
１２    操作部
１３    外付け電話
１４    読取部
１５    記録部
５１    記憶部
５４    モデム
５５    制御部
６４    リンガ検出回路
６５    リレー
６６    コントロール回路
６７    外付け電話リンガ昇降回路
６８    開閉スイッチ
【図１】
0003688378.tif 000002
【図２】
0003688378.tif 000003
【図３】
0003688378.tif 000004
【図４】
0003688378.tif 000005
【図５】
0003688378.tif 000006
【図６】
0003688378.tif 000007
【図７】
0003688378.tif 000008
【図８】
0003688378.tif 000009